(57)【要約】【課題】シャッタの不具合等が発生した時でも良好な画像を提供することができる撮像装置を実現する。【解決手段】３回以上の読み出しで１フレームの画像を構成し、かつ１回の読み出し画像である１フィールドに全色出力する撮像素子と、所定のタイミングで撮像素子を駆動する駆動回路と、タイミングを発生するタイミング発生回路と、撮像素子の出力を輝度信号と色信号とに処理する信号処理手段と、を備えた撮像装置において、通常の信号処理画像に加えて、撮像素子の第１フィールドのみで信号処理した画像を付加する。【選択図】図１
2007300534.tif 000002
【特許請求の範囲】
【請求項１】
３回以上の読み出しで１フレームの画像を構成し、かつ１回の読み出し画像である１フィールドに全色出力する撮像素子と、
所定のタイミングで前記撮像素子を駆動する駆動回路と、
前記タイミングを発生するタイミング発生回路と、
前記撮像素子の出力を輝度信号と色信号とに処理する信号処理手段と、を備えた撮像装置において、
通常の信号処理画像に加えて、前記撮像素子の第１フィールドのみで信号処理した画像を付加することを特徴とする撮像装置。
【請求項２】
前記通常の信号処理画像に加えて、前記撮像素子の第１フィールドのみのＲａｗデータを付加することを特徴とする請求項１記載の撮像装置。
【請求項３】
少なくとも２枚のＲａｗデータを比較し、レベル差が大きい場合は、前記第１フィールドのＲａｗデータでのみ信号処理を行うことを特徴とする請求項１又は２記載の撮像装置。
【請求項４】
少なくとも２枚のＲａｗデータを比較し、レベル差が大きい場合は、前記通常の信号処理画像に加えて、前記第１フィールドのＲａｗデータを記録することを特徴とする請求項１から３のいずれか１項に記載の撮像装置。
【請求項５】
少なくとも２枚のＲａｗデータを比較し、レベル差が大きい場合は、前記通常の信号処理画像に加えて、前記第１フィールドのＲａｗデータで信号処理した画像と、前記第１フィールドのＲａｗデータを記録することを特徴とする請求項１から４のいずれか１項に記載の撮像装置。
【請求項６】
前記撮像装置本体の異常を検知する異常検知手段をさらに備え、
前記異常検知手段により異常を検知した場合は、前記第１フィールドのＲａｗデータでのみ信号処理を行うことを特徴とする請求項１から５のいずれか１項に撮像装置。
【請求項７】
前記異常検知手段により異常を検知した場合は、前記通常の信号処理画像に加えて、前記第１フィールドのＲａｗデータを記録することを特徴とする請求項６記載の撮像装置。
【請求項８】
前記異常検知手段により異常を検知した場合は、前記通常の信号処理画像に加えて、前記第１フィールドのＲａｗデータで信号処理した画像と、前記第１フィールドのＲａｗデータを記録することを特徴とする請求項６又は７記載の撮像装置。
【請求項９】
前記第１フィールドのＲａｗデータを付加するか、又は、前記第１フィールドで信号処理するかについては、撮影者の選択操作によって決定されることを特徴とする請求項１から８のいずれか１項に撮像装置。
【発明の詳細な説明】
【技術分野】
【０００１】
本発明は、デジタルカメラ等の撮像装置に関し、落下等の不具合発生時におけるリカバー機能を有する撮像装置に関する。
【背景技術】
【０００２】
撮像装置の従来技術例として、１フレームの画像データを複数フィールドの画像データに分けて撮像素子からデータ転送出力する撮像装置における光学鏡胴の漏光やメカニカルシャッタの動作異常等の異常状態を適切に検知し、使用者へ報知する「撮像装置及びその異常検出方法」がある（例えば、特許文献１参照）。この発明は、以下に記す構成である。撮影レンズ系とＣＣＤ固体撮像素子との間の光路上に介挿されたメカニカルシャッタが、該光路を開閉してＣＣＤ固体撮像素子の露光を制限する。ＣＣＤ固体撮像素子は、１フレームの画像を３フィールドに分けて転送出力する。ＣＰＵは、同一フレームから分けて転送される３フィールドの画像データのうちの少なくとも２フィールドの転送結果における露光量を比較し、前記露光量の差異に基づいてメカニカルシャッタ２等の動作異常状態を検出する。ＣＰＵは、動作異常状態を検出すると、表示装置インタフェースを介して表示装置にエラー情報や対処方法等を表示させる。
【特許文献１】特開２００５−１８４３９１号公報
【発明の開示】
【発明が解決しようとする課題】
【０００３】
従来、撮像素子として複数フィールドの読み出しで１フレームの画像を構成するインターレース読み出しＣＣＤを用いた撮像装置では、第１フィールドの電荷を転送路にシフトした段階では、残りのフィールドデータが画素中に留めるため、遮光用のシャッタが必要になる。もし、撮像装置を落下させる等してシャッタの機能に不具合（異常）が生じた場合、第１フィールド以降の電荷は、余分に露光されることになり、正しい画像が再生できない。
【０００４】
本発明は、上記事情に鑑みてなされたものであり、シャッタの不具合等が発生した時でも良好な画像を提供することができる撮像装置を実現することを目的とする。
【課題を解決するための手段】
【０００５】
かかる目的を達成するために、請求項１記載の発明は、３回以上の読み出しで１フレームの画像を構成し、かつ１回の読み出し画像である１フィールドに全色出力する撮像素子と、所定のタイミングで撮像素子を駆動する駆動回路と、タイミングを発生するタイミング発生回路と、撮像素子の出力を輝度信号と色信号とに処理する信号処理手段と、を備えた撮像装置において、通常の信号処理画像に加えて、撮像素子の第１フィールドのみで信号処理した画像を付加することを特徴とする。
【０００６】
請求項２記載の発明は、請求項１記載の発明において、通常の信号処理画像に加えて、撮像素子の第１フィールドのみのＲａｗデータを付加することを特徴とする。
【０００７】
請求項３記載の発明は、請求項１又は２記載の発明において、少なくとも２枚のＲａｗデータを比較し、レベル差が大きい場合は、第１フィールドのＲａｗデータでのみ信号処理を行うことを特徴とする。
【０００８】
請求項４記載の発明は、請求項１から３のいずれか１項に記載の発明において、少なくとも２枚のＲａｗデータを比較し、レベル差が大きい場合は、通常の信号処理画像に加えて、第１フィールドのＲａｗデータを記録することを特徴とする。
【０００９】
請求項５記載の発明は、請求項１から４のいずれか１項に記載の発明において、少なくとも２枚のＲａｗデータを比較し、レベル差が大きい場合は、通常の信号処理画像に加えて、第１フィールドのＲａｗデータで信号処理した画像と、第１フィールドのＲａｗデータを記録することを特徴とする。
【００１０】
請求項６記載の発明は、請求項１から５のいずれか１項に記載の発明において、撮像装置本体の異常を検知する異常検知手段をさらに備え、異常検知手段により異常を検知した場合は、第１フィールドのＲａｗデータでのみ信号処理を行うことを特徴とする。
【００１１】
請求項７記載の発明は、請求項６記載の発明において、異常検知手段により異常を検知した場合は、通常の信号処理画像に加えて、第１フィールドのＲａｗデータを記録することを特徴とする。
【００１２】
請求項８記載の発明は、請求項６又は７記載の発明において、異常検知手段により異常を検知した場合は、通常の信号処理画像に加えて、第１フィールドのＲａｗデータで信号処理した画像と、第１フィールドのＲａｗデータを記録することを特徴とする。
【００１３】
請求項９記載の発明は、請求項１から８のいずれか１項に記載の発明において、第１フィールドのＲａｗデータを付加するか、又は、第１フィールドで信号処理するかについては、撮影者の選択操作によって決定されることを特徴とする。
【発明の効果】
【００１４】
本発明によれば、シャッタの不具合等が発生した時でも良好な画像を提供することが可能となる。
【発明を実施するための最良の形態】
【００１５】
以下、本発明を実施するための最良の形態について添付図面を参照して詳細に説明する。
【実施例】
【００１６】
本発明の撮像装置の実施例としてデジタルカメラの構成について以下に説明する。なお、本実施例のデジタルカメラは、Ｒ（赤）・Ｇ（緑）・Ｂ（青）の原色系カラーフィルタを用いた原色系カラーＣＣＤ撮像素子を用いたものについて説明するが、Ｙｅ（黄）・Ｃｙ（シアン）・Ｍｇ（マゼンダ）・Ｇ（緑）の補色系カラーフィルタを用いた補色系カラー撮像素子においてもほぼ同様の処理が可能である。
【００１７】
本実施例のデジタルカメラは、図１に示すように、撮影レンズ系１、メカニカルシャッタ２、ＣＣＤ（電荷結合素子）固体撮像素子３、信号処理部であるＦ／Ｅ（フロントエンド：Front/End Processor）２０、タイミング発生器であるＴＧ（Timing Generator）７、ＣＬＫ_Ｇｅｎ（Clock Generator）１２、信号処理ＩＣ（集積回路）であるＤＳＰ（Digital Signal Processor）８、ＣＣＤ出力のＡＤ変換されたＲａｗデータや信号処理されたデータをＲ／Ｗ（Read/Write）するためのメモリであるＳＤＲＡＭ（シンクロナス・ダイナミック・ランダム・アクセス・メモリ）１３、調整値等のデータを保存しておくＥＥＰＲＯＭ（Electrically Erasable Programmable Read-Only Memory）９、モニタリングや再生の画像と各種情報を表示するための表示装置であるＬＣＤ（Liquid Crystal Display）１４、操作部１６、メモリカード１８及びＣＰＵ（中央制御部）１９を有する構成である。
【００１８】
また、図１に示すように、Ｆ／Ｅ２０は、ＣＤＳ（相関２重サンプリング）回路４、ＡＧＣ（自動利得制御）回路５、及びＡＤＣ（アナログ／デジタル変換器）６、を有し、ＤＳＰ８は、Ｖｉｄｅｏ ＤＡＣ（Digital Analog Converter）１０を有する。なお、図示はしていないが、ＤＳＰ８には、圧縮処理部、ＣＣＤインタフェース、メモリコントローラ、ＬＣＤインタフェース、及びＹＵＶ変換部が搭載される。
【００１９】
撮影レンズ系１は、被写体光学像をＣＣＤ固体撮像素子３の受光面上に結像させるための光学系である。メカニカルシャッタ２は、撮影レンズ系１とＣＣＤ固体撮像素子３との間の光路上に介挿されて、光路を開閉し、遮蔽手段としてＣＣＤ固体撮像素子３の露光を制限する。すなわち、メカニカルシャッタ２は、開状態においては、撮影レンズ系１を介しての入射光による被写体光学像によりＣＣＤ固体撮像素子３を露光し、閉状態においては、ＣＣＤ固体撮像素子３への入射光を遮蔽する。撮像素子としてのＣＣＤ固体撮像素子３は、露光状態で受光面に入射される光学像を電気信号に変換して一時保持し、この場合、１フレームの画像を３フィールドに分けて転送出力する。
【００２０】
ＣＤＳ回路４、ＡＧＣ回路５、及びＡＤＣ６は、ＣＣＤ固体撮像素子３からの出力信号を処理するＦ／Ｅ２０を構成する。ＣＤＳ回路４は、ＣＣＤ固体撮像素子３の出力画像信号を相関２重サンプリングする。ＡＧＣ回路５は、ＣＤＳ回路４の相関２重サンプリング出力を、自動利得制御して所用の信号レベルに調整する。ＡＤＣ６は、ＡＧＣ回路５のアナログ出力をデジタルデータに変換する。
【００２１】
ＴＧ７は、ＤＳＰ８の図示しないＣＣＤインタフェースから与えられる同期駆動信号であるＶＤ信号（垂直同期駆動信号）及びＨＤ信号（水平同期駆動信号）に応動し、且つＣＰＵ１９と連携して、ＣＣＤ固体撮像素子３、ＣＤＳ回路４、ＡＧＣ回路５及びＡＤＣ６にタイミング信号を与え、これらを適正に同期させる。
【００２２】
ＤＳＰ８は、ＣＰＵ１９との交信に基づき、Ｆ／Ｅ２０のＡＤＣ６を介して与えられるデジタル画像データをＳＤＲＡＭ１３へ格納するとともに、圧縮及びＹＵＶ変換等の所要の信号処理を行い、当該ＤＳＰ８内で処理されたデータのＳＤＲＡＭ１３への格納、ＡＤＣ６から与えられ、またはＳＤＲＡＭ１３から取り出された画像データ等のＬＣＤ１４への表示、ＡＤＣ６から与えられ、またはＳＤＲＡＭ１３から取り出されたデジタル画像データの圧縮処理及びＹＵＶ変換、並びにＳＤＲＡＭ１３から取り出されたデジタル画像データのメモリカード１８への格納等の処理を行う。
【００２３】
ＤＳＰ８において、図示しないＣＣＤインタフェースは、ＡＤＣ６から与えられるデジタル画像データを受けて、メモリコントローラを介してＳＤＲＡＭ１３に格納するとともに、特定部位の積分値等の特徴データを求め、それをＣＰＵ１９に与える。また、図示しないメモリコントローラは、ＣＰＵ１９の制御に基づき、ＣＣＤインタフェースを介して与えられる原ＲＧＢ（ＲＡＷ−ＲＧＢ）データ、ＹＵＶ変換部でＹＵＶ変換されたＹＵＶデータ及び圧縮処理部で例えばＪＰＥＧ（Joint Photographic Experts Group）方式にて圧縮されたＪＰＥＧデータ等のＳＤＲＡＭ１３への書き込み及びＳＤＲＡＭ１３からの読み出しを制御する。また、図示しないＬＣＤインタフェースは、ＳＤＲＡＭ１３から読み出された画像データをＬＣＤ１４に表示させる。また、図示しない圧縮処理部は、ＡＤＣ６から与えられまたはＳＤＲＡＭ１３から取り出された画像データ等を、例えばＪＰＥＧ方式のような所定の圧縮方式にて圧縮する。また、図示しないＹＵＶ変換部は、ＡＤＣ６から与えられまたはＳＤＲＡＭ１３から取り出された画像データを、ＣＰＵ１９から与えられる制御値に従ってＹＵＶ変換する。すなわち、メモリコントローラは、ＡＤＣ６から与えられた画像データを、ＳＤＲＡＭ１３へ格納し、且つＳＤＲＡＭ１３から画像データを取り出して、ＬＣＤインタフェースを介してＬＣＤ１４への表示に供するとともに、ＳＤＲＡＭ１３から画像データを取り出して、圧縮処理部によるＪＰＥＧ方式等の圧縮処理、ＹＵＶ変換部によるＹＵＶ変換、ならびにこれら圧縮及びＹＵＶ変換の処理後のデータのＳＤＲＡＭ１３への書き込みに供し、さらにはＳＤＲＡＭ１３からデータを取り出してメモリカード１８への書き込みに供する。
【００２４】
ＳＤＲＡＭ１３は、原ＲＧＢデータ、ＹＵＶ変換されたＹＵＶデータ及びＪＰＥＧ圧縮されたＪＰＥＧデータ等を格納する。また、図１において、ＬＣＤ１４は、液晶ＬＣＤ等の画像表示可能なＬＣＤであり、ＬＣＤインタフェースを介して与えられるＡＤＣ６から供給され、またはＳＤＲＡＭ１３から取り出された画像データ等を表示し、さらには、異常状態の検出時における異常発生の旨及び対処方法等を表示する。
【００２５】
操作部１６は、撮影を指令するためのレリーズスイッチ、各モードを切換えるためのモードスイッチ、ならびにその他のスイッチ、キー、レバー及びダイヤル等の少なくとも一部の操作手段を含み、当該デジタルカメラに対する動作指示、設定指示及び選択指示等の情報をＣＰＵ１９に与えるための操作を行う。
【００２６】
メモリカード１８は、いわゆるフラッシュメモリのような半導体不揮発性メモリを内蔵するスモールカードなどと称される小型のＩＣメモリ式記録媒体であり、当該デジタルスティルカメラに対して着脱可能な外部記録媒体として用いられ、例えばデジタルスティルカメラに設けられたスロットに脱離可能に装着されて用いられる。このメモリカード１８は、例えば、ＣＰＵ１９の制御により、ＳＤＲＡＭ１３内のＪＰＥＧ方式等で圧縮された画像データを、メモリコントローラを介してＳＤＲＡＭ１３から取り出して、撮影結果として保存する。
【００２７】
ＣＰＵ１９は、上記各部を制御し、通常の撮影動作を行わせるとともに、同一フレームから分けて転送される３フィールドの画像データのうちの少なくとも２フィールドの転送結果における露光量を比較し、この露光量の差異に基づいてメカニカルシャッタ２等の動作異常状態を検出する異常検出手段の機能を含んでいる。
【００２８】
また、ＣＰＵ１９は、ＡＥ、ＡＦ、ホワイトバランス等の各演算を行う機能と、ＤＳＰ８、Ｆ／Ｅ２０、その他に対してパラメータを設定する機能と、撮影者からの操作を処理する機能と、を有する構成とする。ＡＥは、例えば、モニタリング時のＣＣＤ３の信号から輝度信号の積算値をＤＳＰ８で求め、それを評価値として、ＣＰＵ１９で絞りや電子シャッタをコントロールする。ＤＳＰ８では、ＡＥの他、ＡＦ、ホワイトバランス等の評価値も生成し、ＣＰＵ１９で演算する。
【００２９】
また、本実施例のデジタルカメラは、図１において図示していないが、モータドライバ及び音声出力装置を有する。モータドライバは、ＣＰＵ１９の制御に基づいて、フォーカシング及びズーミング等のために撮影レンズ系１のレンズ駆動モータ（図示せず）を駆動し、且つシャッタ開閉動作のためにＴＧ７と連動してメカニカルシャッタ２のシャッタ駆動モータ（図示せず）を駆動する。音声出力装置は、異常状態の検出時における異常発生の警報及び対処方法の音声アナウンス等の音声を発するものであり、正常動作時における操作アシスト情報のアナウンスやセルフタイマー動作時の撮影タイミングの確認音等も発するようにしてもよい。
【００３０】
さらに、本実施例のデジタルカメラは、図１において図示していないが、デジタルカメラ本体の落下やデジタルカメラ本体に対する衝撃等を検知する異常検知センサ（異常検知手段）を備えるようにしてもよい。
【００３１】
なお、ＣＣＤ駆動のためのＴＧ７のクロックは、一般的な水晶振動子でも構わないが、本実施例では、可変周波数出力のＣＬＫ_Ｇｅｎ（Clock Generator）１２で発生させ、ＤＳＰ８とシステムの同期を取るようにした構成で説明する。ＤＳＰ８に対しては、システムクロックの他、ＵＳＢ等の周辺機能用のクロックもＣＬＫ_Ｇｅｎ１２より供給する。このＣＬＫ_Ｇｅｎ１２は、内部にマルチプレクサを持ち、ＣＰＵ１９の制御で出力周波数を変更できる。
【００３２】
本実施例のデジタルカメラの動作例について以下に説明する。
ＣＣＤの出力信号は、ＣＤＳ、ＡＧＣを経由してＡＤＣでＡ／Ｄ変換され、ＣＣＤの配列のまま、ＳＤＲＡＭ１３に格納される。通常の静止画処理は、ＳＤＲＡＭ１３からＣＣＤデータを読み出して輝度信号と色信号を生成し、圧縮処理部にて処理を行い、メモリカード１８に記録する。また、ＣＣＤ３のＲａｗデータから表示用ＲＧＢまたはＹＵＶに変換されたデータは、ＤＳＰ８内部のＶｉｄｅｏ ＤＡＣ１０から出力され、ＬＣＤ１４で表示する。
【００３３】
図１を用いてさらに詳述すると、撮影レンズ系１を介してＣＣＤ固体撮像素子３の受光面で露光されたデータは、ＣＣＤ固体撮像素子３において電気信号に変換され、アナログ画像信号を生成する。このアナログ画像信号は、垂直方向について１／３に間引かれたフィールドの３回の転送でＣＣＤ固体撮像素子３から１フレームの画像信号が出力される。出力されたアナログ画像信号は、Ｆ／Ｅ２０で、ＣＤＳ回路４による相関２重サンプリング、ＡＧＣ回路５によるレベル制御及びＡＤＣ６によるＡ／Ｄ変換を経てデジタル信号に変換され、ＤＳＰ８のＣＣＤインタフェース８を介してメモリコントローラに与えられ、メモリコントローラによってＳＤＲＡＭ１３に取り込まれる。このとき、ＣＣＤインタフェースにおいては、１フレームの画面を水平と垂直に１６分割した２５６のエリアに対してＲ（赤）、Ｇｒ（赤ラインの緑）、Ｇｂ（青ラインの緑）及びＢ（青）のそれぞれの積分値が算出される。
【００３４】
この積分値算出は、各フィールドに対して行われる。ＣＰＵ１９は、これを特徴データとして読み出してオートホワイトバランス（ＡＷＢ）等の演算を行う。全３フィールドの転送が完了したＳＤＲＡＭ１３のＲＧＢデータは、ＹＵＶ変換部でＹＵＶのデータに変換され、ＳＤＲＡＭ１３に書き戻される。この変換時にＣＰＵ１９で計算された上記オートホワイトバランス等の制御値が使用される。ＹＵＶデータは、再度読み出され、圧縮処理部において、この場合、ＪＰＥＧ圧縮され、ＳＤＲＡＭ１３に書き戻される。ＣＰＵ１９によって、ＳＤＲＡＭ１３にて、ＪＰＥＧ圧縮された画像データにヘッダデータなどが付加されて、例えばＥｘｉｆ等に従った撮影情報データを含むＪＰＥＧ画像データとしてフォーマットされ、メモリカード１８に保存される。
【００３５】
〈動作例１〉
動作例１として、図２にベイヤー配列の３フィールド読み出しＣＣＤの内部構成と、図４に読み出しタイミングチャートを示す。３フィールド読み出しのＣＣＤでは、図２の第１フィールドはＡ行、第２フィールドはＢ行、第３フィールドはＣ行というように３フィールドに分けて、全画素を読み出す。例えば、第１フィールドの出力は、図３に示すようになり、このフィールドだけで、Ｒ（赤），Ｇｒ（赤ラインの緑），Ｇｂ（青ラインの緑），Ｂ（青）の４色を持っているので、輝度信号、色信号とも再生できる。第２、第３フィールドも、始まりの色が違うだけで全く同様である。
動作例１は、上記構成のデジタルカメラにおいて、通常の信号処理に加えて、ＣＣＤの第１フィールドのＲａｗデータのみを使って信号処理した画像を付加するようにする。全フィールド（図２の例では３フィールド）のデータを用いるか、第１フィールドのデータのみで信号処理するかは、図１において、ＤＳＰ８に接続されたＳＤＲＡＭ１３からの読み出しを制御すれば実現できる。
【００３６】
〈動作例２〉
動作例２は、動作例１において、ＣＣＤの第１フィールドのみを使う信号処理は行わず、ＣＣＤの第１フィールドのみのＲａｗデータをそのまま付加するようにする。ＤＳＰ８でメモリカード１８に書く画像ファイルを作成するときに、Ｒａｗデータもこのファイルに関連付けして記録すればよい。
【００３７】
〈動作例３〉
異常が発生して、露光後に完全に遮光されない場合は、第１フィールドに比べてそれ以降の信号量が大きくなる。これを検知した時に、（１）第１フィールドのＲａｗデータで信号処理した画像の付加、（２）第１フィールドのＲａｗデータの付加、（３）第１フィールドのＲａｗデータで信号処理した画像及び第１フィールドのＲａｗデータの両方の付加、を実施するようにする。図５に上記（１）、図６に上記（２）のフロー例をそれぞれ示す。
【００３８】
上記（１）の場合は、図５に示すように、まず静止画を露光し（ステップＳ１）、Ｒａｗデータを読み出す（ステップＳ２）。次に、第１フィールドの積算値（Ｉ）を演算し（ステップＳ３）、第２フィールドの積算値（ＩＩ）を演算する（ステップＳ４）。そして、積算値（Ｉ）と積算値（ＩＩ）との差を出す（ステップＳ５）。ここで、例えば、差が０よりも大きい場合は（ステップＳ５／ＹＥＳ）、第１フィールドのＲａｗデータを使用した信号処理を行い（ステップＳ７）、信号処理を完了する（ステップＳ８）。差が０よりも小さい場合は（ステップＳ５／ＮＯ）、全フィールドを使用した通常信号処理を行い（ステップＳ６）、信号処理を完了する（ステップＳ８）。このように、少なくとも２つのＲａｗデータを比較し、そのレベル差が大きい場合は、第１フィールドのＲａｗデータのみで信号処理を行う。
【００３９】
上記（２）の場合は、図６に示すように、まず静止画を露光し（ステップＳ１）、Ｒａｗデータを読み出す（ステップＳ２）。次に、第１フィールドの積算値（Ｉ）を演算し（ステップＳ３）、第２フィールドの積算値（ＩＩ）を演算する（ステップＳ４）。そして、積算値（Ｉ）と積算値（ＩＩ）との差を出す（ステップＳ５）。ここで、例えば、差が０よりも大きい場合は（ステップＳ５／ＹＥＳ）、全フィールドを使用した通常信号処理を行い（ステップＳ１７）、第１フィールドのＲａｗデータを記録に残し（ステップＳ１８）、信号処理を完了する（ステップＳ１９）。差が０よりも小さい場合は（ステップＳ５／ＮＯ）、全フィールドを使用した通常信号処理を行い（ステップＳ６）、信号処理を完了する（ステップＳ１９）。このように、少なくとも２つのＲａｗデータを比較し、そのレベル差が大きい場合は、通常の信号処理画像に加えて、第１フィールドのＲａｗデータを記録する。
【００４０】
上記（３）の場合は、図６のステップＳ１８において、第１フィールドのＲａｗデータで信号処理した画像と、第１フィールドのＲａｗデータとを両方記録するようにする。
【００４１】
〈動作例４〉
動作例４は、動作例３において、少なくとも２枚のＲａｗデータを比較する判断を、異常検知センサ等の検知に基づいて行うようにする。すなわち、図５及び図６のステップＳ５において、例えば、異常検知センサがデジタルカメラ本体の落下等を検知した場合に、（１）第１フィールドのＲａｗデータで信号処理した画像の付加、（２）第１フィールドのＲａｗデータの付加、（３）第１フィールドのＲａｗデータで信号処理した画像及び第１フィールドのＲａｗデータの両方の付加、を実施するようにする。
【００４２】
〈動作例５〉
上記動作例１〜４では、撮影者が意図せずにファイルサイズが大きくなったり、撮影間隔が長くなったり、解像度が劣化するという問題がある。この問題を防ぐために、通常撮影時の通常撮影モードとは別の"異常発生時対応モード"をカメラに設定する。このモードにおいて、撮影者は、第１フィールドのＲａｗデータの付加や、第１フィールドのＲａｗデータでの信号処理を選択する操作を行うことができ、その選択に基づいて処理を行うようにする。
【００４３】
以上、本発明の実施例について説明したが、上記実施例に限定されるものではなく、その要旨を逸脱しない範囲において種々の変形が可能である。
【産業上の利用可能性】
【００４４】
本発明は、デジタルカメラ等の撮像装置に適用できる。
【図面の簡単な説明】
【００４５】
【図１】本発明の実施例であるデジタルカメラの要部構成を示すブロック図である。
【図２】本発明の実施例であるデジタルカメラのベイヤー配列の３フィールド読み出しＣＣＤの内部構成を示す図である。
【図３】本発明の実施例であるデジタルカメラの第１フィールドの出力を示す図である。
【図４】本発明の実施例であるデジタルカメラの読み出しタイミングを示すタイミングチャートである。
【図５】本発明の実施例であるデジタルカメラの動作例３の一例を示すフローチャートである。
【図６】本発明の実施例であるデジタルカメラの動作例３の一例を示すフローチャートである。
【符号の説明】
【００４６】
１    撮影レンズ系
２    メカニカルシャッタ
３    ＣＣＤ（電荷結合素子）固体撮像素子
４    ＣＤＳ（相関２重サンプリング）回路
５    ＡＧＣ（自動利得制御）回路
６    ＡＤＣ（アナログ／デジタル変換器）
７    ＴＧ（タイミング発生器）
８    ＤＳＰ
９    ＥＥＰＲＯＭ
１０    Ｖｉｄｅｏ ＤＡＣ
１２    ＣＬＫ_Ｇｅｎ（クロック発生器）
１３    ＳＤＲＡＭ
１４    ＬＣＤ（表示装置）
１６    操作部
１８    メモリカード
１９    ＣＰＵ（中央制御部）
２０    Ｆ／Ｅ（フロントエンド）
【図１】
2007300534.tif 000003
【図２】
2007300534.tif 000004
【図３】
2007300534.tif 000005
【図４】
2007300534.tif 000006
【図５】
2007300534.tif 000007
【図６】
2007300534.tif 000008